【手続補正書】
【提出日】平成19年3月19日(2007.3.19)
【手続補正１】
【補正対象書類名】特許請求の範囲
【補正対象項目名】全文
【補正方法】変更
【補正の内容】
【特許請求の範囲】
【請求項１】
記録媒体を搬送ベルトにより搬送するベルト式搬送装置において、
前記搬送ベルトに圧接可能に設けられ、洗浄液で前記搬送ベルトを洗浄する洗浄部材と、
前記洗浄部材よりも前記搬送ベルトの搬送方向下流側において前記搬送ベルトに付着した洗浄液を除去する洗浄液除去機構と、
を備え、
前記洗浄液除去機構が、
前記洗浄部材よりも前記搬送ベルトの搬送方向下流側において前記搬送ベルトに圧接可能に設けられ、前記搬送ベルトから洗浄液を拭い取るワイパブレードと、
前記洗浄部材よりも前記搬送ベルトの搬送方向下流側において前記搬送ベルトに圧接可能に設けられ、前記搬送ベルトから洗浄液を吸収する吸収部材と、を備えることを特徴とするベルト式搬送装置。
【請求項２】
前記搬送ベルトのうち前記洗浄部材との圧接位置の反対側が無接触とされていることを特徴とする請求項１に記載のベルト式搬送装置。
【請求項３】
前記洗浄部材と前記搬送ベルトとの静止摩擦係数が０．２を越えることを特徴とする請求項１又は２に記載のベルト式搬送装置。
【請求項４】
前記吸収部材が前記ワイパブレードよりも前記搬送ベルトの搬送方向下流側において前記搬送ベルトに対して圧接可能に設けられていることを特徴とする請求項１から３の何れか一項に記載のベルト式搬送装置。
【請求項５】
前記吸収部材と前記搬送ベルトとの静止摩擦係数が０．２を越えることを特徴とする請求項１から４の何れか一項に記載のベルト式搬送装置。
【請求項６】
前記搬送ベルトのうち前記吸収部材との圧接位置の反対側が無接触とされていることを特徴とする請求項１から５の何れか一項に記載のベルト式搬送装置。
【請求項７】
前記吸収部材が前記搬送ベルトの幅方向に平行な軸心周りに回転可能に設けられた吸収ローラであり、前記吸収ローラの外周面が前記搬送ベルトに圧接されていることを特徴とする請求項１から６の何れか一項に記載のベルト式搬送装置。
【請求項８】
前記洗浄部材が前記搬送ベルトの幅方向に平行な軸心周りに回転可能に設けられた洗浄ローラであり、前記洗浄ローラの外周面が前記搬送ベルトに圧接されていることを特徴とする請求項１から７の何れか一項に記載のベルト式搬送装置。
【請求項９】
前記洗浄部材が前記搬送ベルトの幅方向に平行な軸心周りに回転可能に設けられた洗浄ローラであり、
前記洗浄ローラの外周面が前記搬送ベルトに圧接され、
前記洗浄ローラの回転向きが前記搬送ベルトと前記洗浄ローラとの圧接位置における前記搬送ベルトの搬送方向と同じとなるよう前記洗浄ローラが回転し、
前記洗浄ローラの外周面における線速度が搬送時における前記搬送ベルトの搬送速度よりも大きく設定され、
前記洗浄ローラと前記搬送ベルトとの圧接位置における摩擦力が、前記搬送ベルトと前記吸収部材との圧接位置における摩擦力と、前記搬送ベルトと前記ワイパブレードとの圧接位置における摩擦力との和よりも小さいことを特徴とする請求項１から６の何れか一項に記載のベルト式搬送装置。
【請求項１０】
前記洗浄部材が前記搬送ベルトの幅方向に平行な軸心周りに回転可能に設けられた洗浄ローラであり、
前記洗浄ローラの外周面が前記搬送ベルトに圧接され、
前記洗浄ローラの回転向きが前記搬送ベルトと前記洗浄ローラとの圧接位置における前記搬送ベルトの搬送方向と同じとなるよう前記洗浄ローラが回転し、
前記洗浄ローラの外周面における線速度が搬送時における前記搬送ベルトの搬送速度よりも大きく設定され、
前記吸収部材が前記搬送ベルトの幅方向に平行な軸心周りに回転可能に設けられた吸収ローラであり、
前記吸収ローラの外周面が前記搬送ベルトに圧接され、
前記吸収ローラの回転向きが前記搬送ベルトと前記吸収ローラとの圧接位置における前記搬送ベルトの搬送方向と同じとなるよう前記吸収ローラが回転し、
前記吸収ローラの外周面における線速度が搬送時における前記搬送ベルトの搬送速度よりも小さく設定され、
前記洗浄ローラと前記搬送ベルトとの圧接位置における摩擦力が前記搬送ベルトと前記吸収ローラとの圧接位置における摩擦力と、前記搬送ベルトと前記ワイパブレードとの圧接位置における摩擦力との和よりも小さいことを特徴とする請求項１から６の何れか一項に記載のベルト式搬送装置。
【請求項１１】
前記洗浄部材が前記搬送ベルトの幅方向に平行な軸心周りに回転可能に設けられた洗浄ローラであり、
前記洗浄ローラの外周面が前記搬送ベルトに圧接され、
前記洗浄ローラの回転向きが前記搬送ベルトと前記洗浄ローラとの圧接位置における前記搬送ベルトの搬送方向と同じとなるよう前記洗浄ローラが回転し、
前記洗浄ローラの外周面における線速度が搬送時における前記搬送ベルトの搬送速度よりも大きく設定され、
前記吸収部材が前記搬送ベルトの幅方向に平行な軸心周りに回転可能に設けられた吸収ローラであり、
前記吸収ローラの外周面が前記搬送ベルトに圧接され、
前記吸収ローラの回転向きが前記搬送ベルトと前記吸収ローラとの圧接位置における前記搬送ベルトの搬送方向と同じとなるよう前記吸収ローラが回転し、
前記吸収ローラの外周面における線速度が搬送時における前記搬送ベルトの搬送速度よりも大きく設定され、
前記洗浄ローラと前記搬送ベルトとの圧接位置における摩擦力と、前記搬送ベルトと前記吸収ローラとの圧接位置における摩擦力との和が、前記搬送ベルトと前記ワイパブレードとの圧接位置における摩擦力との和よりも小さいことを特徴とする請求項１から６の何れか一項に記載のベルト式搬送装置。
【請求項１２】
前記洗浄ローラの外周面がブラシ状に設けられていることを特徴とする請求項８から１１の何れか一項に記載のベルト式搬送装置。
【請求項１３】
請求項１から１２の何れか一項に記載のベルト式搬送装置と、
前記洗浄部材よりも前記搬送ベルトの搬送方向上流側において記録媒体に向けてインクを吐出する記録ヘッドと、を備えることを特徴とする画像記録装置。
【手続補正２】
【補正対象書類名】明細書
【補正対象項目名】０００７
【補正方法】変更
【補正の内容】
【０００７】
以上の課題を解決するために、請求項１に記載の発明は、記録媒体を搬送ベルトにより搬送するベルト式搬送装置において、前記搬送ベルトに圧接可能に設けられ、洗浄液で前記搬送ベルトを洗浄する洗浄部材と、前記洗浄部材よりも前記搬送ベルトの搬送方向下流側において前記搬送ベルトに付着した洗浄液を除去する洗浄液除去機構と、を備え、前記洗浄液除去機構が、前記洗浄部材よりも前記搬送ベルトの搬送方向下流側において前記搬送ベルトに圧接可能に設けられ、前記搬送ベルトから洗浄液を拭い取るワイパブレードと、前記洗浄部材よりも前記搬送ベルトの搬送方向下流側において前記搬送ベルトに圧接可能に設けられ、前記搬送ベルトから洗浄液を吸収する吸収部材と、を備えることを特徴とする。
【手続補正３】
【補正対象書類名】明細書
【補正対象項目名】００１２
【補正方法】削除
【補正の内容】
【手続補正４】
【補正対象書類名】明細書
【補正対象項目名】００１３
【補正方法】変更
【補正の内容】
【００１３】
なお、ワイパブレードと吸収部材とのどちらが搬送方向上流側に配置されていても良いが、好ましくは請求項４に記載の発明のように、前記吸収部材が前記ワイパブレードよりも前記搬送ベルトの搬送方向下流側において前記搬送ベルトに対して圧接可能に設けられている。
【手続補正５】
【補正対象書類名】明細書
【補正対象項目名】００１４
【補正方法】変更
【補正の内容】
【００１４】
請求項１、請求項４に記載の発明では、洗浄液が洗浄部材から搬送ベルトに付着するが、搬送ベルトの洗浄液が搬送方向下流側においてワイパブレードによって拭い取られ、更には吸収部材に吸収される。そのため搬送ベルトを効率よく洗浄できる。これにより、搬送ベルトに対して洗浄部材、ワイパブレード及び吸収部材を押し当てる力を弱めることができ、搬送ベルトの搬送精度に悪影響を与えない。
また、ワイパブレード及び吸収部材で搬送ベルトの洗浄液を除去するので、洗浄部材で洗浄液を吸収・除去する必要がなくなるから、洗浄部材を多機能の材料としなくても済む。そのため、洗浄部材のコストダウンを図ることができる。
【手続補正６】
【補正対象書類名】明細書
【補正対象項目名】００１５
【補正方法】変更
【補正の内容】
【００１５】
また、請求項４に記載の発明では、搬送ベルトに付着した洗浄液をワイパブレードで殆ど拭い取ることができ、そのワイパブレードよりも搬送方向下流側に吸収部材が搬送ベルトに圧接されているから、吸収力の小さい吸収部材を用いることができる。そのため、吸収部材のコストダウンを図ることができる上、吸収部材の交換頻度を減らすことができる。
【手続補正７】
【補正対象書類名】明細書
【補正対象項目名】００１６
【補正方法】変更
【補正の内容】
【００１６】
請求項５に記載の発明は、請求項１から４に記載のベルト式搬送装置において、前記吸収部材と前記搬送ベルトとの静止摩擦係数が０．２を越えることを特徴とする。
【手続補正８】
【補正対象書類名】明細書
【補正対象項目名】００１７
【補正方法】変更
【補正の内容】
【００１７】
請求項６に記載の発明は、請求項１から５の何れか一項に記載のベルト式搬送装置において、前記搬送ベルトのうち前記吸収部材との圧接位置の反対側が無接触とされていることを特徴とする。
【手続補正９】
【補正対象書類名】明細書
【補正対象項目名】００１８
【補正方法】変更
【補正の内容】
【００１８】
請求項６に記載の発明では、搬送ベルトが吸収部材との圧接位置の反対側において無接触とされているので、搬送ベルトと吸収部材との摩擦力を小さくすることができる。従って、搬送ベルトの搬送精度の低下を抑えることができる。
【手続補正１０】
【補正対象書類名】明細書
【補正対象項目名】００１９
【補正方法】変更
【補正の内容】
【００１９】
請求項７に記載の発明は、請求項１から６の何れか一項に記載のベルト式搬送装置において、前記吸収部材が前記搬送ベルトの幅方向に平行な軸心周りに回転可能に設けられた吸収ローラであり、前記吸収ローラの外周面が前記搬送ベルトに圧接されていることを特徴とする。
【手続補正１１】
【補正対象書類名】明細書
【補正対象項目名】００２０
【補正方法】変更
【補正の内容】
【００２０】
請求項７に記載の発明では、吸収ローラが搬送ベルトの幅方向に平行な軸心周りに回転可能に設けられ、吸収ローラの外周面が搬送ベルトに圧接されているから、吸収ローラを搬送ベルトに対して回転させることができる。そのため、搬送ベルトに付着した洗浄液を効率良く吸収することができる。
【手続補正１２】
【補正対象書類名】明細書
【補正対象項目名】００２１
【補正方法】変更
【補正の内容】
【００２１】
請求項８に記載の発明は、請求項１から７の何れか一項に記載のベルト式搬送装置において、前記洗浄部材が前記搬送ベルトの幅方向に平行な軸心周りに回転可能に設けられた洗浄ローラであり、前記洗浄ローラの外周面が前記搬送ベルトに圧接されていることを特徴とする。
【手続補正１３】
【補正対象書類名】明細書
【補正対象項目名】００２２
【補正方法】変更
【補正の内容】
【００２２】
請求項８に記載の発明では、洗浄ローラが搬送ベルトの幅方向に平行な軸心周りに回転可能に設けられ、洗浄ローラの外周面が搬送ベルトに圧接されているから、洗浄ローラを搬送ベルトに対して回転させることができる。そのため、搬送ベルトに付着したインクを効率良く除去することができる。
【手続補正１４】
【補正対象書類名】明細書
【補正対象項目名】００２３
【補正方法】変更
【補正の内容】
【００２３】
請求項９に記載の発明は、請求項１から６の何れか一項に記載のベルト式搬送装置において、前記洗浄部材が前記搬送ベルトの幅方向に平行な軸心周りに回転可能に設けられた洗浄ローラであり、前記洗浄ローラの外周面が前記搬送ベルトに圧接され、前記洗浄ローラの回転向きが前記搬送ベルトと前記洗浄ローラとの圧接位置における前記搬送ベルトの搬送方向と同じとなるよう前記洗浄ローラが回転し、前記洗浄ローラの外周面における線速度が搬送時における前記搬送ベルトの搬送速度よりも大きく設定され、前記洗浄ローラと前記搬送ベルトとの圧接位置における摩擦力が、前記搬送ベルトと前記吸収部材との圧接位置における摩擦力と、前記搬送ベルトと前記ワイパブレードとの圧接位置における摩擦力との和よりも小さいことを特徴とする。
【手続補正１５】
【補正対象書類名】明細書
【補正対象項目名】００２５
【補正方法】変更
【補正の内容】
【００２５】
請求項９に記載の発明では、洗浄ローラと搬送ベルトとの圧接位置における摩擦力が、搬送ベルトと吸収部材との圧接位置における摩擦力と、搬送ベルトとワイパブレードとの圧接位置における摩擦力との和よりも小さいので、ワイパブレード及び吸収部材の搬送方向下流側における搬送ベルトの張力を増加させる方向に摩擦力を働かせることができる。従って、搬送ベルトを弛ませずに張った状態に維持することができ、搬送ベルトの搬送精度の低下を抑えることができる。
【手続補正１６】
【補正対象書類名】明細書
【補正対象項目名】００２６
【補正方法】変更
【補正の内容】
【００２６】
請求項１０に記載の発明は、請求項１から６の何れか一項に記載のベルト式搬送装置において、前記洗浄部材が前記搬送ベルトの幅方向に平行な軸心周りに回転可能に設けられた洗浄ローラであり、前記洗浄ローラの外周面が前記搬送ベルトに圧接され、前記洗浄ローラの回転向きが前記搬送ベルトと前記洗浄ローラとの圧接位置における前記搬送ベルトの搬送方向と同じとなるよう前記洗浄ローラが回転し、前記洗浄ローラの外周面における線速度が搬送時における前記搬送ベルトの搬送速度よりも大きく設定され、前記吸収部材が前記搬送ベルトの幅方向に平行な軸心周りに回転可能に設けられた吸収ローラであり、前記吸収ローラの外周面が前記搬送ベルトに圧接され、前記吸収ローラの回転向きが前記搬送ベルトと前記吸収ローラとの圧接位置における前記搬送ベルトの搬送方向と同じとなるよう前記吸収ローラが回転し、前記吸収ローラの外周面における線速度が搬送時における前記搬送ベルトの搬送速度よりも小さく設定され、前記洗浄ローラと前記搬送ベルトとの圧接位置における摩擦力が前記搬送ベルトと前記吸収ローラとの圧接位置における摩擦力と、前記搬送ベルトと前記ワイパブレードとの圧接位置における摩擦力との和よりも小さいことを特徴とする。
【手続補正１７】
【補正対象書類名】明細書
【補正対象項目名】００２８
【補正方法】変更
【補正の内容】
【００２８】
請求項１０に記載の発明では、洗浄ローラと搬送ベルトとの圧接位置における摩擦力が搬送ベルトと吸収ローラとの圧接位置における摩擦力と、搬送ベルトと前記ワイパブレードとの圧接位置における摩擦力との和よりも小さいので、ワイパブレード及び吸収部材の搬送方向下流側における搬送ベルトの張力を増加させる方向に摩擦力を働かせることができる。従って、搬送ベルトを弛ませずに張った状態に維持することができ、搬送ベルトの搬送精度の低下を抑えることができる。
【手続補正１８】
【補正対象書類名】明細書
【補正対象項目名】００２９
【補正方法】変更
【補正の内容】
【００２９】
請求項１１に記載の発明は、請求項１から６の何れか一項に記載のベルト式搬送装置において、前記洗浄部材が前記搬送ベルトの幅方向に平行な軸心周りに回転可能に設けられた洗浄ローラであり、前記洗浄ローラの外周面が前記搬送ベルトに圧接され、前記洗浄ローラの回転向きが前記搬送ベルトと前記洗浄ローラとの圧接位置における前記搬送ベルトの搬送方向と同じとなるよう前記洗浄ローラが回転し、前記洗浄ローラの外周面における線速度が搬送時における前記搬送ベルトの搬送速度よりも大きく設定され、前記吸収部材が前記搬送ベルトの幅方向に平行な軸心周りに回転可能に設けられた吸収ローラであり、前記吸収ローラの外周面が前記搬送ベルトに圧接され、前記吸収ローラの回転向きが前記搬送ベルトと前記吸収ローラとの圧接位置における前記搬送ベルトの搬送方向と同じとなるよう前記吸収ローラが回転し、前記吸収ローラの外周面における線速度が搬送時における前記搬送ベルトの搬送速度よりも大きく設定され、前記洗浄ローラと前記搬送ベルトとの圧接位置における摩擦力と、前記搬送ベルトと前記吸収ローラとの圧接位置における摩擦力との和が、前記搬送ベルトと前記ワイパブレードとの圧接位置における摩擦力との和よりも小さいことを特徴とする。
【手続補正１９】
【補正対象書類名】明細書
【補正対象項目名】００３１
【補正方法】変更
【補正の内容】
【００３１】
請求項１１に記載の発明では、洗浄ローラと搬送ベルトとの圧接位置における摩擦力と、搬送ベルトと吸収ローラとの圧接位置における摩擦力との和が、搬送ベルトとワイパブレードとの圧接位置における摩擦力との和よりも小さいので、ワイパブレード及び吸収部材の搬送方向下流側における搬送ベルトの張力を増加させる方向に摩擦力を働かせることができる。従って、搬送ベルトを弛ませずに張った状態に維持することができ、搬送ベルトの搬送精度の低下を抑えることができる。
【手続補正２０】
【補正対象書類名】明細書
【補正対象項目名】００３２
【補正方法】変更
【補正の内容】
【００３２】
請求項１２に記載の発明は、請求項８から１１の何れか一項に記載のベルト式搬送装置において、前記洗浄ローラの外周面がブラシ状に設けられていることを特徴とする。
【手続補正２１】
【補正対象書類名】明細書
【補正対象項目名】００３３
【補正方法】変更
【補正の内容】
【００３３】
請求項１２に記載の発明では、洗浄ローラの外周面がブラシ状に設けられているので、搬送ベルトからインクを効率よく洗い落とすことができる。
【手続補正２２】
【補正対象書類名】明細書
【補正対象項目名】００３４
【補正方法】変更
【補正の内容】
【００３４】
請求項１３に記載の発明の画像記録装置は、請求項１から１２の何れか一項に記載のベルト式搬送装置と、前記洗浄部材よりも前記搬送ベルトの搬送方向上流側において記録媒体に向けてインクを吐出する記録ヘッドと、を備えることを特徴とする。